(57)【特許請求の範囲】
【請求項１】
機器本体に対して着脱自在な電池パックに、付勢手段により係止方向へ付勢されたロックレバーを設け、このロックレバーの嵌合部を上記機器本体側に形成された保持溝に係脱自在に係合することにより、機器本体に電池パックを保持するようにした電池パックの下ケース側に、ロックレバーの回転軸を回転自在に保持し、上記電池パックの上記下ケース側に、上記ロックレバーの上記回転軸を上下方向及び前方向より保持する軸受け部を、そして上記下ケースに嵌着一体化される上ケースに、上記回転軸を後方より保持する軸受け部をそれぞれ設けてなることを特徴とする電池パック。
【発明の詳細な説明】
【０００１】
【発明の属する技術分野】
この発明は携帯電話機や携帯無線機のような携帯型電子機器に取付けて使用する電池パックに関する。
【０００２】
【従来の技術】
従来この種の携帯型電子機器には、充電することにより繰返し使用できる充電式電池などを内装した電池パックが使用されており、この電池パックを機器本体に着脱自在に取付ける電池パックの保持装置としては、例えば特開平８−１０６８９０号公報に記載されたものが公知となっている。
【０００３】
図８ないし図１４は上記公報の電池パックを示すもので、機器本体を構成する筐体Ａに対して、上ケースａ及び下ケースｂ内に図示しない充電式電池が内装された電池パックｃが着脱自在に取付けられるようになっている。
【０００４】
そして上記電池パックｃを筐体Ａに取付けるには、まず筐体Ａの係止部ｄに下ケースｂの係止部ｅを係合した状態で、下ケースｂに設けられたロックレバーｆを筐体Ａの保持溝ｇに係合することにより、筐体Ａに対して電池パックｃが保持できるようになっている。
【０００５】
また筐体Ａより電池パックｃを取外す場合は、筐体Ａの指穴ｐより指を差し込んで、ロックレバーｆを押しながら保持溝ｇより外すことにより、筐体Ａより電池パックｃが取外せるようになっている。
【０００６】
また上記ロックレバーｆ部分は図１１ないし図１３に示すように、一端側が回転軸ｈにより支承されたロックレバーｆがＵ字形の板ばねｉにより係止方向へ付勢されていて、この板ばねｉの付勢力によりロックレバーｆの嵌合部ｊが図１２に示すように筐体Ａ側の保持溝ｇに係合するようになっている。
【０００７】
またロックレバーｆを外すときは、筐体Ａの指穴ｐより指を差し込んで、ロックレバーｆを板ばねｉに抗してロック解除方向へ回動することにより、ロックレバーｆの嵌合部ｊが保持溝ｇより外れるため、電池パックｃが筐体Ａより取外せると共に、ロックレバーｆにはストッパｋが設けられていて、このストッパｋが上ケースａの前部に当接することにより、板ばねｉの付勢力によりロックレバーｆが過度に開かないように構成されている。
【０００８】
【発明が解決しようとする課題】
しかし上記従来の電池パックでは、下ケースｂに設けられたほぼコ字形の軸受け部ｍにロックレバーｆの回転軸ｈを嵌合した状態で、下ケースｂに上ケースａを嵌合して、上ケースａの前側軸受け部ｎで上記軸受け部ｍの開口を塞ぐことにより、軸受け部ｍ内より回転軸ｈが抜け出さないようにしている。
【０００９】
このため、上ケースａと下ケースｂの軸受け部ｍ、ｎの製作誤差や、上ケースａと下ケースｂを組立てる際のバラツキなどにより、軸受け部ｍ、ｎ内で回転軸ｈがガタつき、このガタの影響でロックレバーｆにガタが発生して、筐体Ａに電池パックｃを装着した際、電池パックｃの保持が不安定となったり、使用中電池パックｃが筐体Ａより外れて脱落するなどの不具合があった。
【００１０】
また上記従来の電池パックは、ロックレバーｆを組立てる際、ロックレバーｆの両側に突設されたストッパｋを上ケースａの下方より挿入した後、回転軸ｈを下ケースｂの軸受け部ｍへ嵌合しているが、このとき上ケースａの前側軸受け部ｎを変形させながら上ケースａへのロックレバーｆを挿入する作業が必要となるため、組立て作業が面倒であると共に、組立て時の前側軸受け部ｎを変形させてしまうことがあり、その結果軸受け部ｍ、ｎと回転軸ｈ間のガタがさらに不安定になるなどの不具合もあった。
【００１１】
この発明はかかる従来の不具合を改善するためになされたもので、組立てが容易で、かつ機器本体に安定した状態で装着できる電池パックを提供することを目的とするものである。
【００１２】
【課題を解決するための手段】
この発明は上記目的を達成するため、機器本体に対して着脱自在な電池パックに、付勢手段により係止方向へ付勢されたロックレバーを設け、このロックレバーの嵌合部を上記機器本体側に形成された保持溝に係脱自在に係合することにより、機器本体に電池パックを保持するようにした電池パックの下ケース側に、ロックレバーの回転軸を回転自在に保持し、上記電池パックの上記下ケース側に、上記ロックレバーの回転軸を上下方向及び前方向より保持する軸受け部を、そして上記下ケースに嵌着一体化される上ケースに、上記回転軸を後方より保持する軸受け部をそれぞれ設けてなるもので、製作誤差や組立て時にバラツキがあっても、ロックレバーがガタつくことがないため、電池パックを機器本体に安定した状態で保持させることができる。
【００１３】
【発明の実施の形態】
この発明の請求項１記載の発明は、機器本体に対して着脱自在な電池パックに、付勢手段により係止方向へ付勢されたロックレバーを設け、このロックレバーの嵌合部を上記機器本体側に形成された保持溝に係脱自在に係合することにより、機器本体に電池パックを保持するようにした電池パックの下ケース側に、ロックレバーの回転軸を回転自在に保持し、上記電池パックの上記下ケース側に、上記ロックレバーの回転軸を上下方向及び前方向より保持する軸受け部を、そして上記下ケースに嵌着一体化される上ケースに、上記回転軸を後方より保持する軸受け部をそれぞれ設けてなるものである。
【００１４】
上記構成により、電池パックを構成する上ケースや下ケースに製作誤差があったり、組立て時にバラツキがあっても、付勢手段により回転軸が下ケースの前部内面に圧接されて、ロックレバーがガタつくことがないため、電池パックを機器本体に安定した状態で装着することができる。
【００１６】
また上記構成により、電池パックを組立てる際、ロックレバーの回転軸を下ケースの軸受け部に嵌挿した状態で下ケースに上ケースを嵌着し、接着や溶着などの手段で一体化することにより、ロックレバーの取付けが完了するため、組立て作業が短時間で容易に行えると共に、４方向より回転軸の動きが規制されるため、ロックレバーの位置決めが精度よく行えるようになる。
【００１７】
以下この発明の実施の形態を図１ないし図７に示す図面を参照して詳述する。
【００１８】
図１は機器本体より電池パックを取外した状態の分解斜視図、図２は機器本体の斜視図、図３は電池パックのロックレバー側の正面図、図４は図３のＸ−Ｘ線に沿う断面図、図５は図３のＹ−Ｙ線に沿う断面図、図６は図３のＺ−Ｚ線に沿う断面図、図７は電池パックの分解斜視図である。
【００１９】
これら図において１は機器本体で、背面に電池パック２の装着部１ａを有しており、装着部１ａの一端側角部に、電池パック２の下ケース２ｂが係止される係止部１ｂが突設されている。
【００２０】
上記電池パック２は、上ケース２ａと下ケース２ｂとの間に図示しない充電式電池を内装した構成で、下ケース２ｂ側より上記機器本体１の装着部１ａに着脱自在に装着できるようになっており、電池パック２の一端側にロックレバー３が設けられている。
【００２１】
上記ロックレバー３は図７に示すように、ほぼ逆Ｌ字形に形成されていて、下端部の両側に回転軸３ａが突設されていると共に、上端側の屈曲部３ｂ両側には、機器本体１側に形成された保持溝１ｃに係脱自在に嵌合する嵌合部３ｃと、ストッパ３ｄがそれぞれ突設されている。
【００２２】
また上記ロックレバー３を取付ける電池パック２の上ケース２ａと、下ケース２ｂには、図７に示すように軸受け部４が形成されている。
【００２３】
上記軸受け部４は、下ケース２ｂ側に軸受け天部４ａと軸受け前部４ｂ及び軸受け底部４ｃが形成されていて、これら軸受け天部４ａと軸受け前部４ｂ及び軸受け底部４ｃによりロックレバー３の回転軸３ａを図６に示すように上下及び前方の３方向より支承するようになっている。
【００２４】
また上ケース２ａ側には、軸受け後部４ｄがほぼクシ形に形成されていて、この軸受け後部４ｄにより回転軸３ａの後方を支承すると共に、ロックレバー３と軸受け後部４ｄの間には、ほぼＵ字形の板ばね５が介在されていて、この板ばね５によりロックレバー３の上部が前方へ付勢されており、機器本体１より電池パック２を取外した場合、ロックレバー３のストッパ３ｄが下ケース２ｂの前部に内側より当接して、ロックレバー３が過度に開かないようになっている。
【００２５】
なお図７中４ｅは、板ばね５が抜け出すのを防止する抜け止め突起である。
【００２６】
また図１及び図２中１ｄはロックレバー３を外すときに指を差し込む指穴である。
【００２７】
次に上記構成された電池パックの保持装置の作用を説明すると、まず電池パック２を組立てるにあたっては、まず下ケース２ｂの軸受け天部４ａと軸受け前部４ｂ及び軸受け底部４ｃの間に、ロックレバー３の回転軸３ａを後方の開口より嵌合する。
【００２８】
このとき下ケース２ｂの一部を変形させて組立てる作業を必要としないので、簡単に組立てられる。
【００２９】
次に下ケース２ｂに上方より上ケース２ａを嵌合して、接着や溶着などの手段で下ケース２ｂと上ケース２ａを一体化した後、板ばね５の開放端を指などで押し縮めながら、ロックレバー３と上ケース２ａの軸受け後部４ｄの間に、図４にすめすように板ばね５を挿入するもので、板ばね５の挿入後は、板ばね５の付勢力でロックレバー３が前方へ押圧されて、回転軸３ａが軸受け前部４ｂの内面に常時圧接されるため、下ケース２ｂによりロックレバー３の取付け位置は常に一定となり、軸受け部４の製作誤差や、組立て時のバラツキによる影響を受けることがない。
【００３０】
上記のようにして組立てられた電池パック２を機器本体１に装着する場合は、まず機器本体１の係止部１ｂに電池パック２の下ケース２ｂを係合し、ロックレバー３の嵌合部３ｃを機器本体の保持溝１ｃに嵌合する。
【００３１】
このとき電池パック２に設けられたロックレバー３の回転軸３ａは板ばね５の付勢力により常時下ケース２ｂ側に設けられた軸受け前部４ｂの内面に圧接されていて、ガタが生じることがないので、機器本体１に電池パック２が安定した状態で保持できると共に、使用中機器本体１より電池パック２が脱落する心配もない。
【００３２】
一方充電などのために電池パック２を取外す場合は、機器本体１の指穴１ｄより指を差し込んで、ロックレバー３を板ばね５に抗して回動し、嵌合部３ｃを保持溝１ｃより外すことにより、簡単に取外すことができる。
【００３３】
【発明の効果】
この発明は以上詳述したように、電池パックを構成する下ケース側に、ロックレバーの回転軸を支承する軸受け部を設けると共に、ロックレバーを付勢する板ばねにより回転軸を軸受け前部内面に圧接するようにしたことから、上ケースや下ケースに製作誤差や、組立て時にバラツキなどがあっても、ロックレバーにガタが生じることがない。
【００３４】
これによって機器本体に電池パックを安定した状態で装着することができると共に、使用中機器本体より電池パックが外れて脱落するなどの心配もない。
【００３５】
また電池パックを組立てる際、下ケースに形成された軸受け部に、後方よりロックレバーの回転軸を嵌挿した状態で、下ケースに上ケースを嵌合するようにしたことから、ケースの一部を変形させてロックレバーを組込むなどの作業が不要となるため、組立て作業が容易となる上、短時間で組立てることができるため、組立てコストの低減も図れるようになる。
【図面の簡単な説明】
【図１】  この発明の実施の形態になる電池パックを採用した電子機器の分解斜視図
【図２】  この発明の実施の形態になる電池パックを採用した電子機器本体を示す斜視図
【図３】  この発明の実施の形態になる電池パックを示す正面図
【図４】  図３のＸ−Ｘ線に沿う断面図
【図５】  図３のＹ−Ｙ線に沿う断面図
【図６】  図３のＺ−Ｚ線に沿う断面図
【図７】  この発明の実施の形態になる電池パックを示す分解斜視図
【図８】  従来の電池パックを採用した電子機器の分解斜視図
【図９】  従来の電池パックを採用した電子機器を示す斜視図
【図１０】  従来の電池パックを示す正面図
【図１１】  図１０のＸ−Ｘ線に沿う断面図
【図１２】  図１０のＹ−Ｙ線に沿う断面図
【図１３】  図１０のＺ−Ｚ線に沿う断面図
【図１４】  従来の電池パックを示す分解斜視図
【符号の説明】
１    機器本体
１ａ  装着部
１ｂ  係止部
１ｃ  保持溝
１ｄ  指穴
２    電池パック
２ａ  上ケース
２ｂ  下ケース
３    ロックレバー
３ａ  回転軸
３ｂ  屈曲部
３ｃ  嵌合部
３ｄ  ストッパ
４    軸受け部
４ａ  軸受け天部
４ｂ  軸受け前部
４ｃ  軸受け底部
４ｄ  軸受け後部
４ｅ  抜け止め突起
５    板ばね(付勢手段)
【図１】
0003681513.tif 000002
【図２】
0003681513.tif 000003
【図３】
0003681513.tif 000004
【図４】
0003681513.tif 000005
【図５】
0003681513.tif 000006
【図６】
0003681513.tif 000007
【図７】
0003681513.tif 000008
【図８】
0003681513.tif 000009
【図９】
0003681513.tif 000010
【図１０】
0003681513.tif 000011
【図１１】
0003681513.tif 000012
【図１２】
0003681513.tif 000013
【図１３】
0003681513.tif 000014
【図１４】
0003681513.tif 000015